(57)【特許請求の範囲】
【請求項１】
太陽電池パネルと、前記太陽電池パネルの縁部を保持する枠部材とを備えた太陽電池モジュールであって、
前記枠部材は、前記太陽電池パネルの受光面の縁を保持する保持片を備え、
前記保持片には、前記枠部材の外側面を開口する切欠溝が設けられており、
前記切欠溝は、前記太陽電池パネルの受光面が露出するように、かつ、底面の少なくとも一部が前記太陽電池パネルの受光面よりも高くなるように形成されており、
前記切欠溝の底面の幅方向における一部において、突起が設けられており、
前記突起の高さは、前記保持片の頂面の高さよりも低いことを特徴とする太陽電池モジュール。
【請求項２】
請求項１に記載の太陽電池モジュールであって、
前記切欠溝は、底面と壁面との間が傾斜面形状又は曲面形状とされていることを特徴とする太陽電池モジュール。
【請求項３】
請求項１又は請求項２に記載の太陽電池モジュールであって、
前記太陽電池パネルは、側面の少なくとも前記切欠溝に対応する部分が被覆されていることを特徴とする太陽電池モジュール。
【請求項４】
請求項１から請求項３までの何れか１つに記載の太陽電池モジュールであって、
前記切欠溝は、前記保持片の内側の端部から外側に向けて幅が次第に狭くなくなるように傾斜する傾斜部を有していることを特徴とする太陽電池モジュール。
【発明の詳細な説明】
【技術分野】
【０００１】
本発明は、太陽電池モジュール、特に、太陽電池パネルと枠部材とを備えた太陽電池モジュールに関する。
【背景技術】
【０００２】
太陽電池モジュールとしては、例えば、太陽電池パネルと、太陽電池パネルの縁部を保持する枠部材とを備えたものがある。太陽電池パネルは、一般的に、直列及び／又は並列に接続された複数の太陽電池セルを受光側部材（例えば受光面ガラス）と裏側部材（例えば裏面ガラスや裏面バックシート）との間に封止樹脂を用いて封止した構造となっている。封止樹脂として例えばＥＶＡ（エチレンビニルアセテート樹脂）等が用いられる。枠部材としては、代表的には、太陽電池パネルの受光面の周縁部と側面と裏面の周縁部とを保持する構成のものを挙げることができる。
【０００３】
また、太陽電池モジュールは、多くの場合、年間を通しての太陽電池パネルへの日射量が最大、つまり年間発電量が最大となるように傾斜した状態で設置される。
【０００４】
このような太陽電池モジュールにおいては、雨水や雪解け水といった水が枠部材の、太陽電池パネルの受光面から突出した部分（例えば太陽電池パネルの受光面の周縁部を保持する部分）で堰き止められて、受光面に溜まってしまうことがある。太陽電池パネルの受光面に溜まった水は、その後、蒸発したとしても、水に含まれていた塵や埃等の不純物が受光面上に残り、この不純物が太陽光を遮断し、その結果、太陽電池モジュールの出力が低下する場合がある。
【０００５】
この点に関し、特許文献１は、枠部材において切欠溝が太陽電池パネルの受光面に通じるように外側面を開口し、かつ、太陽電池パネルの側面が露出するように設けられた構成を開示している。
【先行技術文献】
【特許文献】
【０００６】
【特許文献１】ＷＯ２００６／０９８４７３
【発明の概要】
【発明が解決しようとする課題】
【０００７】
しかしながら、従来の太陽電池モジュールでは、次のような問題が生じる可能性があった。
【０００８】
図１７は、従来技術を説明するための説明図であり、図１８は、従来の太陽電池モジュール１における枠部材２に設けられた切欠溝３に生じる問題点を説明するための説明図である。図１７は、枠部材２に設けられた切欠溝３部分を示す太陽電池モジュール１の一部の分解斜視図である。図１８（ａ）は、切欠溝３部分の拡大断面図であり、図１８（ｂ）は、図１８（ａ）に示す切欠溝３部分における太陽電池パネル４の受光面４ａ側の受光角部４ｂに物５が当たった状態を示す拡大断面図である。
【０００９】
従来の太陽電池モジュール１では、図１７に示すように、枠部材２において切欠溝３が外側面２ａを開口し、太陽電池パネル４の側面４ｃが露出するように設けられるので、図１８に示すように、太陽電池パネル４の受光面４ａ側の受光角部４ｂに物５（図１８（ｂ）参照）が直接当たる可能性がある。太陽電池パネル４の受光角部４ｂは衝撃に弱く、受光角部４ｂに物５が直接当たると、太陽電池パネル４が損傷し易い。太陽電池パネル４の受光角部４ｂに物５が直接当たると、受光角部４ｂが欠けしまう、或いは、受光角部４ｂにひびや亀裂等のクラックが入ってしまい、ひいては太陽電池パネル４全体の損傷につながる。このことは、太陽電池パネル４の受光角部４ｂを構成する部材としてガラスを用いる場合に、特に顕著となる。
【００１０】
そこで、本発明は、太陽電池パネルと、太陽電池パネルの縁部を保持する枠部材とを備えた太陽電池モジュールであって、太陽電池パネルの受光面に雨水や雪解け水といった水を溜まり難くすることができる上、太陽電池パネルの損傷を抑制することができる太陽電池モジュールを提供することを目的とする。
【課題を解決するための手段】
【００１１】
本発明は、前記課題を解決するために、太陽電池パネルと、前記太陽電池パネルの縁部を保持する枠部材とを備えた太陽電池モジュールであって、前記枠部材は、前記太陽電池パネルの受光面の縁を保持する保持片を備え、前記保持片には、前記枠部材の外側面を開口する切欠溝が設けられており、前記切欠溝は、前記太陽電池パネルの受光面が露出するように、かつ、底面の少なくとも一部が前記太陽電池パネルの受光面よりも高くなるように形成されており、前記切欠溝の底面の幅方向における一部において、突起が設けられており、前記突起の高さは、前記保持片の頂面の高さよりも低いことを特徴とする太陽電池モジュールを提供する。
【００１２】
本発明において、前記切欠溝は、底面と壁面との間が傾斜面形状又は曲面形状とされている態様を例示できる。
【００１４】
本発明において、前記太陽電池パネルは、側面の少なくとも前記切欠溝に対応する部分が被覆されている態様を例示できる。
【００１５】
本発明において、前記切欠溝は、前記保持片の内側の端部から外側に向けて幅が次第に狭くなくなるように傾斜する傾斜部を有している態様を例示できる。
【発明の効果】
【００１６】
本発明によると、太陽電池パネルと、太陽電池パネルの縁部を保持する枠部材とを備えた太陽電池モジュールであって、太陽電池パネルの受光面に雨水や雪解け水といった水を溜まり難くすることができる上、太陽電池パネルの損傷を抑制することができる太陽電池モジュールを提供することができる。
【図面の簡単な説明】
【００１７】
【図１】本発明に実施の形態に係る太陽電池モジュールを概略的に示す斜視図である。
【図２】図１に示す太陽電池モジュールの分解斜視図である。
【図３】図１に示す太陽電池モジュールのＡ１−Ａ１線に沿った断面図である。
【図４】図１に示す太陽電池モジュールのＢ１−Ｂ１線に沿った断面図である。
【図５】図１に示す太陽電池モジュールにおける枠部材の切欠溝部分を示す図であって、（ａ）は、図１に示すＡ２−Ａ２線に沿った拡大断面図であり、（ｂ）は、図１に示すＢ２−Ｂ２線に沿った拡大断面図である。
【図６】図１に示す太陽電池モジュールにおける枠部材の切欠溝部分を示す図であって、（ａ）は、図５（ａ）に示す切欠溝に物が当たった状態を示す拡大断面図であり、（ｂ）は、図５（ｂ）に示す切欠溝に物が当たった状態を示す拡大断面図である。
【図７】図１に示す太陽電池モジュールにおける枠部材において、切欠溝の一方の壁面が第１保持片の先端に揃うように設けられている例を拡大して示す斜視図である。
【図８】第１実施形態に係る太陽電池モジュールを説明するための説明図であって、（ａ）は、切欠溝の底面と壁面との間が傾斜面形状とされている例を外側面側から視た拡大側面図であり、（ｂ）は、切欠溝の底面と壁面との間が曲面形状とされている例を外側面側から視た拡大側面図である。
【図９】第２実施形態に係る太陽電池モジュールを説明するための説明図であって、切欠溝の底面に突起が設けられている例を外側面側から視た拡大側面図である。
【図１０】第２実施形態に係る太陽電池モジュールを説明するための説明図であって、（ａ）は、図５（ａ）に示す構成において、切欠溝の底面に図９に示す突起が設けられている例を示す断面図であり、（ｂ）は、図５（ｂ）に示す構成において、切欠溝の底面に図９に示す突起が設けられている例を示す断面図である。
【図１１】第３実施形態に係る太陽電池モジュールを説明するための説明図であって、（ａ）は、図５（ａ）に示す構成において、太陽電池パネルの側面の切欠溝に対応する部分が被覆されている例を示す断面図であり、（ｂ）は、図５（ｂ）に示す構成において、太陽電池パネルの側面の切欠溝に対応する部分が被覆されている例を示す断面図である。
【図１２】第４実施形態に係る太陽電池モジュールを説明するための説明図であって、切欠溝が傾斜部を有している例を拡大して示す斜視図である。
【図１３】複数の太陽電池モジュールを水平方向及び傾斜方向でマトリクス状にして第１長辺側枠部材及び第２長辺側枠部材が高低差を有するように第１短辺側枠部材及び第２短辺側枠部材を傾斜させた太陽電池モジュールアレイの一例を示す平面図である。
【図１４】複数の太陽電池モジュールを水平方向及び傾斜方向でマトリクス状にして第１短辺側枠部材及び第２短辺側枠部材が高低差を有するように第１長辺側枠部材及び第２長辺側枠部材を傾斜させた太陽電池モジュールアレイの一例を示す平面図である。
【図１５】複数の太陽電池モジュールを水平方向で千鳥状にして第１長辺側枠部材及び第２長辺側枠部材が高低差を有するように第１短辺側枠部材及び第２短辺側枠部材を傾斜させた太陽電池モジュールアレイの一例を示す平面図である。
【図１６】複数の太陽電池モジュールを水平方向で千鳥状にして第１短辺側枠部材及び第２短辺側枠部材が高低差を有するように第１長辺側枠部材及び第２長辺側枠部材を傾斜させた太陽電池モジュールアレイの一例を示す平面図である。
【図１７】従来技術を説明するための説明図であって、枠部材に設けられた切欠溝部分を示す太陽電池モジュールの一部の分解斜視図である。
【図１８】従来技術の問題点を説明するための説明図であって、（ａ）は、切欠溝部分の拡大断面図であり、（ｂ）は、（ａ）に示す切欠溝部分における太陽電池パネルの受光面側の受光角部に物が当たった状態を示す拡大断面図である。
【発明を実施するための形態】
【００１８】
以下、本発明に係る実施の形態について図面を参照しながら説明する。
【００１９】
（太陽電池モジュール）
図１は、本発明に実施の形態に係る太陽電池モジュール１００を概略的に示す斜視図である。図２は、図１に示す太陽電池モジュール１００の分解斜視図である。
【００２０】
太陽電池モジュール１００は、太陽電池パネル１１０と、太陽電池パネル１１０の縁部（この例では外周部）を保持（この例では囲繞）する枠部材１２０とを備えている。具体的には、枠部材１２０は、太陽電池パネル１１０の縁部（この例では外周部）を太陽電池パネル１１０の受光面１１０ａから突出するように保持（この例では囲繞）している。
【００２１】
太陽電池パネル１１０には、受光面１１０ａ側から図示しない透光性基材、封止樹脂、複数の太陽電池セルからなる太陽電池ストリング、封止樹脂、裏面側保護材がこの順で設けられている。この例では、透光性基材としてガラス基板を用い、封止樹脂としてＥＶＡ（エチレンビニルアセテート樹脂）を用い、太陽電池セルとして多結晶シリコンウエハから作製された太陽電池セルを用いている。また、裏面側保護材としてＰＥＴ（ポリエチレンテレフタレート）シートを積層した多層シートを用いている。
【００２２】
複数の太陽電池セルは、太陽電池モジュール１００として十分な出力電力を得るために、内部配線（図示せず）を用いて直列に電気的に接続され、ストリングを形成している。さらに、太陽電池モジュール１００は正極側と負極側の２個の引出し電極（図示せず）を有しており、それぞれの引出し電極は、一端が太陽電池セルと電気的に接続され、他端が端子ボックス（図示せず）に電気的に接続されている。
【００２３】
太陽電池モジュール１００は、平面視で多角形状（この例では長方形状）の太陽電池パネル１１０の外周部に枠部材１２０を保持し、太陽電池モジュールとしている。
【００２４】
太陽電池パネル１１０は、太陽光を受光する受光面１１０ａと、受光面１１０ａとは反対側の裏面１１０ｂ（図２参照）とを有している。また、太陽電池パネル１１０は、短辺側を構成する一対の側面のうちの一方の第１側面１１０ｃ（図２参照）と、短辺側を構成する一対の側面のうちの他方の第２側面１１０ｄ（図２参照）と、長辺側を構成する一対の側面のうちの一方の第３側面１１０ｅ（図２参照）と、長辺側を構成する一対の側面のうちの他方の第４側面１１０ｆ（図２参照）とを有している。ここで、太陽電池パネル１１０は、略六面体形状とされている。この例では、太陽電池パネル１１０は、受光面１１０ａ及び裏面１１０ｂが平行又は略平行とされ、第１側面１１０ｃから第４側面１１０ｆが長方形状又は略長方形状とされている。
【００２５】
太陽電池パネル１１０は、例えば、相対する一対の辺（例えば長辺側又は短辺側）が高低差を有しかつ水平又は略水平とされ、相対するもう一対の辺（例えば短辺側又は長辺側）が傾斜した状態で、相対する一対の辺及び／又は相対するもう一対の辺が架台４００（後述する図３及び図４参照）に設置される。
【００２６】
枠部材１２０は、太陽電池パネル１１０の一方の短辺側を保持する一方の短辺側枠部材（第１短辺側枠部材１２１）と、太陽電池パネル１１０の他方の短辺側を保持する他方の短辺側枠部材（第２短辺側枠部材１２２）と、太陽電池パネル１１０の一方の長辺側を保持する一方の長辺側枠部材（第１長辺側枠部材１２３）と、太陽電池パネル１１０の他方の長辺側を保持する他方の長辺側枠部材（第２長辺側枠部材１２４）とで構成されている。
【００２７】
第１短辺側枠部材１２１は、太陽電池パネル１１０の受光面１１０ａの第１方向Ｎ（図示例では太陽電池パネル１１０の長手方向）における一端の縁、裏面１１０ｂの第１方向Ｎにおける一端の縁及び第１側面１１０ｃを保持する。第２短辺側枠部材１２２は、太陽電池パネル１１０の受光面１１０ａの第１方向Ｎにおける他端の縁、裏面１１０ｂの第１方向Ｎにおける他端の縁及び第２側面１１０ｄを保持する。第１短辺側枠部材１２１及び第２短辺側枠部材１２２は、太陽電池パネル１１０の受光面１１０ａを保持しており、上端が太陽電池パネル１１０の受光面１１０ａの一部を覆っている。この例では、第１短辺側枠部材１２１及び第２短辺側枠部材１２２は、同一構成の枠部材である。
【００２８】
第１長辺側枠部材１２３は、太陽電池パネル１１０の受光面１１０ａの第２方向Ｔ（第１方向Ｎに直交又は略直交する方向、図示例では太陽電池パネル１１０の短手方向）における一端の縁、太陽電池パネル１１０の裏面１１０ｂの第２方向Ｔにおける一端の縁及び第３側面１１０ｅを保持する。第２長辺側枠部材１２４は、太陽電池パネル１１０の受光面１１０ａの第２方向Ｔにおける他端の縁、太陽電池パネル１１０の裏面１１０ｂの第２方向Ｔにおける他端の縁及び第４側面１１０ｆを保持する。第１長辺側枠部材１２３及び第２長辺側枠部材１２４は、太陽電池パネル１１０の受光面１１０ａを保持しており、上端が太陽電池パネル１１０の受光面１１０ａの一部を覆っている。この例では、第１長辺側枠部材１２３及び第２長辺側枠部材１２４は、同一構成の枠部材である。
【００２９】
詳しくは、第１短辺側枠部材１２１及び第２短辺側枠部材１２２の第１長辺側枠部材１２３側の端部には、貫通孔ＨＬ，ＨＬ（図２参照）がそれぞれ設けられている。第１長辺側枠部材１２３の第１方向Ｎにおける両端部には、雌ネジ孔部１４ａ１，１４ａ１（図２参照）がそれぞれ設けられている。第１長辺側枠部材１２３は、太陽電池パネル１１０の一方の長辺側において受光面１１０ａ及び裏面１１０ｂを挟持する。第１長辺側枠部材１２３は、第３側面１１０ｅを保持した状態で、第１短辺側枠部材１２１及び第２短辺側枠部材１２２の第１長辺側枠部材１２３側の端部を、それぞれ、ネジ等の固定部材ＳＣ，ＳＣが第１短辺側枠部材１２１及び第２短辺側枠部材１２２の第１長辺側枠部材１２３側の端部に設けられた貫通孔ＨＬ，ＨＬに挿通して第１長辺側枠部材１２３の第１方向Ｎにおける両端部に設けられた雌ネジ孔部１４ａ１，１４ａ１に螺合することで固定している。第１短辺側枠部材１２１及び第２短辺側枠部材１２２の第２長辺側枠部材１２４側の端部には、貫通孔ＨＬ，ＨＬ（図２参照）がそれぞれ設けられている。第２長辺側枠部材１２４の第１方向Ｎにおける両端部には、雌ネジ孔部１４ａ１，１４ａ１（図２参照）がそれぞれ設けられている。第２長辺側枠部材１２４は、太陽電池パネル１１０の他方の長辺側において受光面１１０ａ及び裏面１１０ｂを挟持する。第２長辺側枠部材１２４は、第４側面１１０ｆを保持した状態で、第１短辺側枠部材１２１及び第２短辺側枠部材１２２の第２長辺側枠部材１２４側の端部を、それぞれ、ネジ等の固定部材ＳＣ，ＳＣが第１短辺側枠部材１２１及び第２短辺側枠部材１２２の第２長辺側枠部材１２４側の端部に設けられた貫通孔ＨＬ，ＨＬに挿通して第２長辺側枠部材１２４の第１方向Ｎにおける両端部に設けられた雌ネジ孔部１４ａ１，１４ａ１に螺合することで固定している。
【００３０】
そして、枠部材１２０（この例では１２１〜１２４）には、枠部材１２０（この例では１２１〜１２４）の外側面１２０ａ（この例では１２１ａ〜１２４ａ）を開口する切欠溝３０が設けられている。この例では、切欠溝３０は、太陽電池パネル１１０の受光面１１０ａに通じるように枠部材１２０（この例では１２１〜１２４）の外側面１２０ａ（この例では１２１ａ〜１２４ａ）を開口している。なお、切欠溝３０については、後ほど詳しく説明する。
【００３１】
（枠部材の具体的構成）
図３は、図１に示す太陽電池モジュール１００のＡ１−Ａ１線に沿った（第１短辺側枠部材１２１及び第２短辺側枠部材１２２において切欠溝３０が設けられていない部分の）断面図である。なお、第１短辺側枠部材１２１及び第２短辺側枠部材１２２は、同一構成の枠部材であるため、実質的に同じ構成部材には同一符号を付し、図３において、一つの図で示している。
【００３２】
第１短辺側枠部材１２１及び第２短辺側枠部材１２２は、太陽電池パネル１１０を支持する第１枠部１１と、第１枠部１１を支持する第２枠部１２とを有している。第１枠部１１は、第２枠部１２の上部に設けられている。第１短辺側枠部材１２１及び第２短辺側枠部材１２２は、第１枠部１１及び第２枠部１２を一体成型した枠部材である。
【００３３】
第１枠部１１は、断面略Ｕ字状に形成されている。第１枠部１１は、太陽電池パネル１１０の外周部を保持する保持片（この例では第１保持片１１ａ、第２保持片１１ｂ及び第３保持片１１ｃ）を備えている。詳しくは、第１枠部１１は、太陽電池パネル１１０の受光面１１０ａの縁を保持する第１保持片１１ａと、太陽電池パネル１１０の第１側面１１０ｃ、第２側面１１０ｄを保持する第２保持片１１ｂと、太陽電池パネル１１０の裏面１１０ｂの縁を保持する第３保持片１１ｃとを備えている。第１枠部１１は、第１保持片１１ａ、第２保持片１１ｂ及び第３保持片１１ｃを、第２保持片１１ｂに対して第１保持片１１ａ及び第３保持片１１ｃが直角又は略直角になるように一体形成した枠部である。また、第１枠部１１における第１保持片１１ａは、太陽電池パネル１１０の受光面１１０ａに沿って内側に延び、先端部が受光面１１０ａ側に屈曲して受光面１１０ａに当接している。
【００３４】
第２枠部１２は、断面略Ｕ字状に形成されている。詳しくは、第２枠部１２は、高さ方向Ｓにおける一端部で第１枠部１１の下部の短手方向（この例では第１方向Ｎ）における両端部をそれぞれ支持する一対の板状の縦枠部１２ａ，１２ｂと、短手方向（この例では第１方向Ｎ）における両端部で一対の縦枠部１２ａ，１２ｂの高さ方向Ｓにおける他端部をそれぞれ支持する板状の横枠部１２ｃとを備えている。第２枠部１２は、一対の縦枠部１２ａ，１２ｂ及び横枠部１２ｃを、これらが直角又は略直角になるように一体形成した枠部である。また、第２枠部１２は、第１枠部１１における第３保持片１１ｃと一体形成されており、第３保持片１１ｃと共に箱型形状を構成している。第２枠部１２は、例えば、架台４００に固定される。
【００３５】
第１短辺側枠部材１２１及び第２短辺側枠部材１２２は、この例では、アルミニウムの押出加工により成型された枠部材である。
【００３６】
太陽電池パネル１１０と第１短辺側枠部材１２１及び第２短辺側枠部材１２２における第１枠部１１との間には、接着層２０が配設されている。
【００３７】
詳しくは、接着層２０は、第１枠部１１と太陽電池パネル１１０との間において切欠溝３０の部分を除いて連続的に設けられている。こうすることで、太陽電池パネル１１０と第１枠部１１との接着面積を広くすることができ、これにより、太陽電池パネル１１０と第１枠部１１との間の接着強度を向上させることが可能となる。
【００３８】
接着層２０としては、例えば、シリコーン樹脂等の接着樹脂材料を用いることができる。接着層２０としてシリコーン樹脂を用いることにより、第１枠部１１と太陽電池パネル１１０との高い接着強度を維持することが可能となる。また、シリコーン樹脂は、耐候性が高く、高い接着強度を維持することが可能であるため、太陽電池モジュール１００の長期信頼性も確保することができる。なお、接着層２０は、シリコーン樹脂に限定されるものではない。
【００３９】
図４は、図１に示す太陽電池モジュール１００のＢ１−Ｂ１線に沿った（第１長辺側枠部材１２３及び第２長辺側枠部材１２４において切欠溝３０が設けられていない部分の）断面図である。なお、第１長辺側枠部材１２３及び第２長辺側枠部材１２４は、同一構成の枠部材であるため、実質的に同じ構成部材には同一符号を付し、図４において、一つの図で示している。
【００４０】
第１長辺側枠部材１２３及び第２長辺側枠部材１２４は、太陽電池パネル１１０を支持する第１枠部１３と、第１枠部１３を支持する第２枠部１４とを有している。第１枠部１３は、第２枠部１４の上部に設けられている。第１長辺側枠部材１２３及び第２長辺側枠部材１２４は、第１枠部１３及び第２枠部１４を一体成型した枠部材である。
【００４１】
第１枠部１３は、断面略Ｕ字状に形成されている。第１枠部１３は、太陽電池パネル１１０の外周部を保持する保持片（この例では第１保持片１３ａ、第２保持片１３ｂ及び第３保持片１３ｃ）を備えている。詳しくは、第１枠部１３は、太陽電池パネル１１０の受光面１１０ａの縁を保持する第１保持片１３ａと、太陽電池パネル１１０の第３側面１１０ｅ、第４側面１１０ｆを保持する第２保持片１３ｂと、太陽電池パネル１１０の裏面１１０ｂの縁を保持する第３保持片１３ｃとを備えている。第１枠部１３は、第１保持片１３ａ、第２保持片１３ｂ及び第３保持片１３ｃを、第２保持片１３ｂに対して第１保持片１３ａ及び第３保持片１３ｃが直角又は略直角になるように一体形成した枠部である。また、第１枠部１３における第１保持片１３ａは、太陽電池パネル１１０の受光面１１０ａに沿って内側に延び、先端部が受光面１１０ａ側に屈曲して受光面１１０ａに接触している。
【００４２】
第２枠部１４は、断面略Ｕ字状に形成されている。詳しくは、第２枠部１４は、高さ方向Ｓにおける一端部で第１枠部１３の下部の短手方向（この例では第２方向Ｔ）における両端部をそれぞれ支持する一対の板状の縦枠部１４ａ，１４ｂと、短手方向（この例では第２方向Ｔ）における両端部で一対の縦枠部１４ａ，１４ｂの高さ方向Ｓにおける他端部をそれぞれ支持する板状の横枠部１４ｃとを備えている。第２枠部１４は、一対の縦枠部１４ａ，１４ｂ及び横枠部１４ｃを、これらが直角又は略直角になるように一体形成した枠部である。また、第２枠部１４は、第１枠部１３における第３保持片１３ｃと一体形成されており、第３保持片１３ｃと共に箱型形状を構成している。第２枠部１４は、例えば、架台４００に固定される。
【００４３】
他方の縦枠部１４ｂの一方の縦枠部１４ａ側の高さ方向Ｓにおける両端部には、第１短辺側枠部材１２１及び第２短辺側枠部材１２２に設けられた貫通孔ＨＬ，ＨＬに挿通される固定部材ＳＣ，ＳＣと螺合する雌ネジ孔部１４ａ１，１４ａ１が形成されている。
【００４４】
第１長辺側枠部材１２３及び第２長辺側枠部材１２４は、第１短辺側枠部材１２１及び第２短辺側枠部材１２２と同様、この例では、アルミニウムの押出加工により成型された枠部材である。
【００４５】
太陽電池パネル１１０と第１長辺側枠部材１２３及び第２長辺側枠部材１２４における第１枠部１３との間には、接着層２０が配設されている。
【００４６】
詳しくは、接着層２０は、第１枠部１３と太陽電池パネル１１０との間において切欠溝３０の部分を除いて連続的に設けられている。こうすることで、太陽電池パネル１１０と第１枠部１３との接着面積を広くすることができ、これにより、太陽電池パネル１１０と第１枠部１３との間の接着強度を向上させることが可能となる。
【００４７】
接着層２０は、第１短辺側枠部材１２１及び第２短辺側枠部材１２２に設けられる接着層と同様の接着層であり、ここでは説明を省略する。
【００４８】
図３及び図４に示すように、太陽電池パネル１１０の厚みｈ１は、この例では、４．５ｍｍ程度とされており、第１短辺側枠部材１２１、第２短辺側枠部材１２２、第１長辺側枠部材１２３及び第２長辺側枠部材１２４の厚みｈ２は、この例では、１．２ｍｍ程度とされている。また、太陽電池パネル１１０と第１枠部１１，１３における第２保持片１１ｂ，１３ｂとの間の距離ｈ３は、この例では、１ｍｍ程度とされている。
【００４９】
＜太陽電池モジュールの枠部材における切欠溝について＞
次に、本実施の形態に係る太陽電池モジュール１００における枠部材１２０の切欠溝３０について図５から図７を参照しながら以下に説明する。
【００５０】
図５及び図６は、図１に示す太陽電池モジュール１００における枠部材１２０の切欠溝３０部分を示す図である。図５（ａ）は、図１に示すＡ２−Ａ２線に沿った拡大断面図であり、図５（ｂ）は、図１に示すＢ２−Ｂ２線に沿った拡大断面図である。また、図６（ａ）は、図５（ａ）に示す切欠溝３０に物５０が当たった状態を示す拡大断面図であり、図６（ｂ）は、図５（ｂ）に示す切欠溝３０に物５０が当たった状態を示す拡大断面図である。なお、図５（ａ）及び６（ａ）において、第１短辺側枠部材１２１及び第２短辺側枠部材１２２を一つの図で示しており、図５（ｂ）及び図６（ｂ）において、第１長辺側枠部材１２３及び第２長辺側枠部材１２４を一つの図で示している。
【００５１】
図５及び図６に示すように、切欠溝３０は、高低差を有する一対の枠部材１２０，１２０のうち少なくとも低い方の枠部材１２０に設けられている。この例では、切欠溝３０は、第１短辺側枠部材１２１、第２短辺側枠部材１２２、第１長辺側枠部材１２３及び第２長辺側枠部材１２４のうちの全ての枠部材に設けられている。切欠溝３０は、太陽電池パネル１１０の受光面１１０ａと、枠部材１２０の外側面１２０ａ（この例では第１短辺側枠部材１２１の外側面１２１ａ、第２短辺側枠部材１２２の外側面１２２ａ、第１長辺側枠部材１２３の外側面１２３ａ及び第２長辺側枠部材１２４の外側面１２４ａ）に沿った空間とを連通している。
【００５２】
そして、切欠溝３０は、底面３０ａの少なくとも一部（この例では底面３０ａの全体）が太陽電池パネル１１０の受光面１１０ａよりも高くなるように形成されている。詳しくは、切欠溝３０は、底面３０ａが太陽電池パネル１１０の受光面１１０ａを超えており、受光面１１０ａを超えた底面３０ａの下部が太陽電池パネル１１０の側面（この例では側面１１０ｃ〜１１０ｆ）全体を覆うように（露出させないように）形成されている。切欠溝３０の底面３０ａの少なくとも一部の高さ（底面３０ａの深さ）が太陽電池パネル１１０の受光面１１０ａの高さよりも高くなっている。
【００５３】
言い換えると、切欠溝３０は、底面３０ａの少なくとも一部が受光面１１０ａよりも予め定めた突出量ｄ１（図５（ａ）及び図５（ｂ）参照）だけ突出するように形成されている。ここで、底面３０ａの高さ及び受光面１１０ａの高さは、太陽電池パネル１１０の厚み方向の高さであり、太陽電池パネル１１０の受光面１１０ａに沿った基準面（例えば、太陽電池パネル１１０の裏面１１０ｂや、第２枠部１２における横枠部１２ｃ（図３参照）の底面、第２枠部１４における横枠部１４ｃ（図４参照）の底面などの基準面）を基準とした高さである。
【００５４】
具体的には、切欠溝３０の底面３０ａは、高さが一定又は略一定とされている。切欠溝３０の底面３０ａは、太陽電池パネル１１０の受光面１１０ａと平行又は略平行とされている。切欠溝３０は、底面３０ａと切欠溝３０の壁面３０ｂ，３０ｃ（図２参照）との間が予め定めた所定の角度（この例では直角又は略直角）の角形状に形成されている。
【００５５】
この例では、枠部材１２０は、第１枠部１１，１３において、切欠溝３０は第１保持片１１ａ，１３ａが長手方向における途切れた部分で構成されており（図１及び図２参照）、切欠溝３０の底面３０ａは第２保持片１１ｂ，１３ｂの頂面で構成されている。切欠溝３０は、枠部材１２０の長手方向に直交又は略直交する方向（短手方向）に沿って延びている。
【００５６】
以上説明したように、本実施の形態では、枠部材１２０には、枠部材１２０の外側面１２０ａを開口する切欠溝３０が設けられているので、太陽電池パネル１１０の受光面１１０ａに雨や雪解け水といった水を溜まり難くすることが可能となる。しかも、切欠溝３０は、底面３０ａの少なくとも一部が太陽電池パネル１１０の受光面１１０ａよりも高くなるように形成されているので、物５０（図６（ａ）及び図６（ｂ）参照）が太陽電池パネル１１０の受光面１１０ａ側の受光角部１１０ｇに直接当たることなく、その手前の切欠溝３０に当たるようすることができる。従って、太陽電池パネル１１０の受光角部１１０ｇに物５０が直接当たることを効果的に防止することができ、これにより太陽電池パネル１１０の損傷を抑制することができる。例えば、受光角部１１０ｇが欠けしまう、或いは、受光角部１１０ｇにひびや亀裂等のクラックが入ってしまうことを抑制することができ、ひいては太陽電池パネル１１０全体の損傷を有効に回避することが可能となる。このことは、太陽電池パネル１１０の受光角部１１０ｇを構成する部材としてガラスを用いる場合に、特に有効となる。ここで、切欠溝３０の底面３０ａの少なくとも一部が太陽電池パネル１１０の受光面１１０ａよりも高くなっていることから、太陽電池パネル１１０の受光面１１０ａに水が若干溜まり易いものの、実用上支障のないレベルとすることができる。太陽電池パネル１１０の受光面１１０ａに対する切欠溝３０の底面３０ａ（この例では第２保持片１１ｂ，１３ｂの頂面）の突出量ｄ１（図５（ａ）及び図５（ｂ）参照）は、予め定めた値とされている。ここで、突出量ｄ１は、たとえ太陽電池パネル１１０の受光面１１０ａに水が若干溜まり、水に含まれていた塵や埃等の不純物が受光面１１０ａ上に残ったとしても、この不純物が太陽光を遮断することがない値或いは太陽光を遮断することがあっても実用上支障のないレベルとなる値とすることができ、この例では、０．３ｍｍ程度とされている。すなわち、切欠溝３０の底面３０ａの少なくとも一部は、太陽電池パネル１１０の受光面１１０ａよりも０．３ｍｍ程度高くなっている。
【００５７】
このように、本実施の形態によれば、太陽電池パネル１１０の受光面１１０ａに水を溜まり難くすることができる上、太陽電池パネル１１０の損傷を抑制することができる。
【００５８】
なお、本実施の形態に係る太陽電池モジュール１００では、図１及び図２に示すように、切欠溝３０は、枠部材１２０に対して２つ設けられているが、１つ又は３つ以上設けられていてもよい。
【００５９】
また、切欠溝３０は、枠部材１２０の長手方向における両端部に設けているが、枠部材１２０の任意の位置に設けることができる。例えば、第１短辺側枠部材１２１及び第２短辺側枠部材１２２において、切欠溝３０の第１長辺側枠部材１２３及び第２長辺側枠部材１２４側の壁面３０ｂが第１長辺側枠部材１２３及び第２長辺側枠部材１２４における第１保持片１３ａの先端１３ａ１（内側端）に揃うように設けられていてもよい。また、第１長辺側枠部材１２３及び第２長辺側枠部材１２４において、切欠溝３０の第１短辺側枠部材１２１及び第２短辺側枠部材１２２側の壁面３０ｂが第１短辺側枠部材１２１及び第２短辺側枠部材１２２における第１保持片１１ａの先端１１ａ１（内側端）に揃うように設けられていてもよい。
【００６０】
図７は、図１に示す太陽電池モジュール１００における枠部材１２０において、切欠溝３０の一方の壁面３０ｂが第１保持片１１ａ，１３ａの先端１１ａ１，１３ａ１（内側端）に揃うように設けられている例を拡大して示す斜視図である。
【００６１】
図７に示す例では、第２長辺側枠部材１２４における第２短辺側枠部材１２２側の切欠溝３０の一方の壁面３０ｂが第２短辺側枠部材１２２における第１保持片１１ａの先端１１ａ１（内側端）に揃うように設けられている。また、第２短辺側枠部材１２２における第１長辺側枠部材１２３側の切欠溝３０の一方の壁面３０ｂが第１長辺側枠部材１２３における第１保持片１３ａの先端１３ａ１（内側端）に揃うように設けられている。なお、図７に示す構成では、第２短辺側枠部材１２２における第２長辺側枠部材１２４側の切欠溝３０、及び、第１長辺側枠部材１２３における第２短辺側枠部材１２２側の切欠溝３０が設けられていない例を示している。
【００６２】
このように、切欠溝３０，３０の壁面３０ｂ，３０ｂが第１保持片１１ａ，１３ａの先端１１ａ１，１３ａ１（内側端）に揃うように設けられていることで、第１保持片１１ａ，１３ａの先端１１ａ１，１３ａ１（内側端）に沿って流れる水をスムーズに切欠溝３０に向けて流すことができる。
【００６３】
［第１実施形態から第４実施形態］
次に、第１実施形態から第４実施形態に係る太陽電池モジュール１００について図８から図１２を参照しながら以下に説明する。
【００６４】
（第１実施形態）
図８は、第１実施形態に係る太陽電池モジュール１００を説明するための説明図である。図８（ａ）は、切欠溝３０の底面３０ａと壁面３０ｂ，３０ｃとの間が傾斜面形状とされている例を外側面１２０ａ側から視た拡大側面図であり、図８（ｂ）は、切欠溝３０の底面３０ａと壁面３０ｂ，３０ｃとの間が曲面形状とされている例を外側面１２０ａ側から視た拡大側面図である。
【００６５】
第１実施形態に係る太陽電池モジュール１００において、図８（ａ）に示す切欠溝３０は、底面３０ａと壁面（両壁面３０ｂ，３０ｃのうち少なくとも一方の壁面、この例では両壁面３０ｂ，３０ｃ）との間が傾斜面形状（所謂Ｃ面形状）に形成されている。切欠溝３０は、底面３０ａと壁面３０ｂ，３０ｃとが所定の角度（この例では直角又は略直角）とされており、底面３０ａと壁面３０ｂ，３０ｃとの間の傾斜面α１，α１が底面３０ａに対して予め定めた所定の傾斜角度（この例では４５°）に傾斜している。
【００６６】
図８（ａ）に示す切欠溝３０の底面３０ａと壁面３０ｂ，３０ｃとの間の傾斜面α１，α１の傾斜面形状は、切削加工や型抜きのプレス加工によりＣ面加工することで得ることができる。図８（ａ）において、切欠溝３０は、底面３０ａの幅ａ（幅方向Ｗにおける距離）が壁面３０ｂ，３０ｃ間の幅ｂ（幅方向Ｗにおける距離）よりも小さくなっており、この例では、傾斜面α１，α１の幅方向Ｗにおける距離ｄ２，ｄ２は、０．５ｍｍ程度とされている。
【００６７】
第１実施形態に係る太陽電池モジュール１００において、図８（ｂ）に示す切欠溝３０は、底面３０ａと壁面（両壁面３０ｂ，３０ｃのうち少なくとも一方の壁面、この例では両壁面３０ｂ，３０ｃ）との間が曲面形状（所謂Ｒ面形状）に形成されている。切欠溝３０は、底面３０ａと壁面３０ｂ，３０ｃとが所定の角度（この例では直角又は略直角）とされており、底面３０ａと壁面３０ｂ，３０ｃとの間の曲面α２，α２が底面３０ａと壁面３０ｂ，３０ｃとの間で次第に湾曲するように形成されている。
【００６８】
図８（ｂ）に示す切欠溝３０の底面３０ａと壁面３０ｂ，３０ｃとの間の曲面α２，α２の曲面形状は、切削加工や型抜きのプレス加工によりＲ面加工することで得ることができる。図８（ｂ）において、切欠溝３０は、底面３０ａの幅ａ（幅方向Ｗにおける距離）が壁面３０ｂ，３０ｃ間の幅ｂ（幅方向Ｗにおける距離）よりも小さくなっており、この例では、曲面α２，α２の幅方向Ｗにおける距離ｄ３，ｄ３は、０．５ｍｍ程度とされている。
【００６９】
第１実施形態では、切欠溝３０は、底面３０ａと壁面３０ｂ，３０ｃとの間が傾斜面形状（図８（ａ）参照）又は曲面形状（図８（ｂ）参照）とされていることで、切欠溝３０の底面３０ａと切欠溝３０の壁面３０ｂ，３０ｃとの間の強度を向上させることができる。また、切欠溝３０をプレス加工で形成する場合、切欠溝３０の底面３０ａと切欠溝３０の壁面３０ｂ，３０ｃとの間を角形状にする場合に比べて、切欠溝３０を型抜きするプレス型の寿命を向上させることができる。
【００７０】
（第２実施形態）
図９及び図１０は、第２実施形態に係る太陽電池モジュール１００を説明するための説明図である。図９は、切欠溝３０の底面３０ａに突起３０ｄが設けられている例を外側面１２０ａ側から視た拡大側面図である。図１０（ａ）は、図５（ａ）に示す構成において、切欠溝３０の底面３０ａに図９に示す突起３０ｄが設けられている例を示す断面図であり、図１０（ｂ）は、図５（ｂ）に示す構成において、切欠溝３０の底面３０ａに図９に示す突起３０ｄが設けられている例を示す断面図である。
【００７１】
図９及び図１０に示すように、第２実施形態に係る太陽電池モジュール１００は、切欠溝３０の底面３０ａの幅方向Ｗにおける一部において、突起３０ｄが設けられている。突起３０ｄは、切欠溝３０の底面３０ａと一体的に形成されている。突起３０ｄは、切欠溝３０の底面３０ａの幅方向Ｗにおける一方側端又は他方側端に設けられていてもよいし、切欠溝３０の底面３０ａの幅方向Ｗにおける両側を空けて設けられていてもよく、また、切欠溝３０の底面３０ａの幅方向Ｗにおける中間位置を含むように設けられていてもよい。この例では、突起３０ｄは、切欠溝３０の底面３０ａの幅方向Ｗにおける両側を空けて中央部に設けられている。
【００７２】
突起３０ｄの切欠溝３０の幅方向Ｗにおける距離ｃ（図９参照）は、切欠溝３０において突起３０ｄをすり抜ける水の流れ易さと切欠溝３０において物５０が突起３０ｄに当たり易さとを両立させるという観点から、底面３０ａの幅ａ（幅方向Ｗにおける距離）の１／４〜３／４程度、より好ましくは１／３〜２／３程度とすることができ、例えば、１／３程度とすることができる。突起３０ｄの高さｄ４（図１０（ａ）及び図１０（ｂ）参照）は、枠部材１２０の頂面の高さと同じか低くなる程度の値（この例では第１保持片１１ａ，１３ａの厚みと同じか小さい値）とすることができる。突起３０ｄの短手方向における距離ｄ５（図１０（ａ）及び図１０（ｂ）参照）は、枠部材１２０の短手方向の長さ（この例では第２保持片１１ｂ，１３ｂの厚み）と同じか小さい値とすることができる。
【００７３】
第２実施形態では、切欠溝３０の底面３０ａの幅方向Ｗにおける一部において、突起３０ｄが設けられていることで、受光面１１０ａに溜まった水を受光面１１０ａから切欠溝３０を通じて外部に排出させ易くした状態で、物５０が切欠溝３０の底面３０ａに設けられた突起３０ｄに当たるようすることができる。従って、太陽電池パネル１１０の損傷をさらに抑制することができる。
【００７４】
（第３実施形態）
図１１は、第３実施形態に係る太陽電池モジュール１００を説明するための説明図である。図１１（ａ）は、図５（ａ）に示す構成において、太陽電池パネル１１０の側面１１０ｃ，１１０ｄの切欠溝３０に対応する部分が被覆されている例を示す断面図であり、図１１（ｂ）は、図５（ｂ）に示す構成において、太陽電池パネル１１０の側面１１０ｅ，１１０ｆの切欠溝３０に対応する部分が被覆されている例を示す断面図である。
【００７５】
図１１に示すように、第３実施形態に係る太陽電池モジュール１００において、太陽電池パネル１１０は、側面の少なくとも切欠溝３０に対応する部分が被覆されている。この例では、太陽電池パネル１１０の第１側面１１０ｃから第４側面１１０ｆの切欠溝３０に対応する部分が露出しないように被覆部材４０により被覆されている。
【００７６】
ここで、太陽電池パネル１１０の側面を被覆する被覆部材４０としては、例えば、接着層と耐紫外線層との２層構造の被覆部材とすることができる。接着層としては、ブチルゴム等の粘着性の樹脂材料を例示でき、耐紫外線層としては、アルミニウム等の耐食性の金属材料を例示できる。また、太陽電池パネル１１０の側面を被覆する被覆部材４０として、前記した接着層２０を用いてもよい。この場合、接着層２０は、第１枠部１１，１３と太陽電池パネル１１０との間において切欠溝３０の部分を含めて連続的に設けることができ、切欠溝３０の部分の接着層２０を被覆部材４０とすることができる。
【００７７】
この例では、被覆部材４０は、接着層と耐紫外線層（保護層）との２層構造の被覆部材（シート部材）とされており、太陽電池パネル１１０の第１側面１１０ｃから第４側面１１０ｆの厚み方向における両端から受光面１１０ａ側及び裏面１１０ｂ側に少しはみ出して設けられている。ここで、接着層としては、それには限定されないが、例えば、両面粘着テープを使用することができる。耐紫外線層（保護層）としては、それには限定されないが、例えば、耐候性の樹脂（例えばＰＥＴ樹脂：ポリエチレンテレフタレート樹脂）を使用することができ、その他、フィルム材料、バックフィルムと同様の部材等も用いることができる。
【００７８】
第３実施形態では、太陽電池パネル１１０は、側面（この例では第１側面１１０ｃから第４側面１１０ｆ）の少なくとも切欠溝３０に対応する部分が被覆されていることで、たとえ物５０が切欠溝３０に当たったとしても、太陽電池パネル１１０の被覆された切欠溝３０に対応する部分を保護することができ、それだけ太陽電池パネル１１０の損傷を抑制することができる。
【００７９】
（第４実施形態）
図１２は、第４実施形態に係る太陽電池モジュール１００を説明するための説明図であって、切欠溝３０が傾斜部３１を有している例を拡大して示す斜視図である。なお、図１２では、第２長辺側枠部材１２４及び第２短辺側枠部材１２２において、切欠溝３０が傾斜部３１と平行部３２とを有している例を示している。
【００８０】
図１２に示すように、第４実施形態に係る太陽電池モジュール１００において、切欠溝３０は、太陽電池モジュール１００の内側の端部から外側に向けて幅ｂ（壁面３０ｂ，３０ｃ間の幅）が次第に狭くなくなるように傾斜する傾斜部３１を有している。この例では、切欠溝３０は、傾斜部３１の外側から連続して外側の端部に向けて幅ｂが等しく又は略等しくなるように平行又は略平行に延びる平行部３２をさらに有している。
【００８１】
傾斜部３１は、切欠溝３０の幅方向Ｗにおける片側に設けられていてもよいが、この例では、両側に設けられている。傾斜部３１と平行部３２との境目の位置は、枠部材１２０の短手方向において切欠溝３０の予め定めた所定の位置（例えば中間位置又は中間位置よりも外側の位置）とされている。傾斜部３１の枠部材１２０の長手方向に対する傾斜角度は、例えば、予め定めた所定の角度（例えば４５°程度）とされている。
【００８２】
第４実施形態では、切欠溝３０は、傾斜部３１を有していることで、傾斜部３１の幅ｂの小さい側で太陽電池パネル１１０を保護する面積をできるだけ大きくした状態で、傾斜部３１の幅ｂの大きい側で太陽電池パネル１１０の受光面１１０ａ上の水を集めることができ、それだけ受光面１１０ａに溜まった水を受光面１１０ａから切欠溝３０を通じて外部に排出させ易くすることができる。
【００８３】
（その他の実施形態）
本実施の形態に係る太陽電池モジュール１００は、前記した構成のうち少なくとも２つを組み合わせた太陽電池モジュールであってもよい。
【００８４】
また、本実施の形態では、太陽電池パネル１１０は、平面視で長方形状の太陽電池パネルとされているが、平面視で正方形の太陽電池パネルとされていてもよい。また、本実施の形態では、相対する二対の枠部材（１２１，１２２），（１２３，１２４）の双方（合計４辺の枠部材１２１〜１２４）に切欠溝３０が設けられているが、相対する二対の枠部材（１２１，１２２），（１２３，１２４）のうち高低差を有する一対の枠部材のみに切欠溝３０が設けられていてもよい。また、枠部材１２１〜１２４の少なくとも１つの枠部材のみに切欠溝３０が設けられてもいてよい。
【００８５】
（太陽電池モジュールの配置構成について）
次に、太陽電池モジュール１００の配置構成について図１３から図１６を参照しながら以下に説明する。
【００８６】
図１３は、複数の太陽電池モジュール１００〜１００を水平方向Ｈ及び傾斜方向Ｖでマトリクス状にして第１長辺側枠部材１２３及び第２長辺側枠部材１２４が高低差を有するように第１短辺側枠部材１２１及び第２短辺側枠部材１２２を傾斜させた太陽電池モジュールアレイ２１０の一例を示す平面図である。図１４は、複数の太陽電池モジュール１００〜１００を水平方向Ｈ及び傾斜方向Ｖでマトリクス状にして第１短辺側枠部材１２１及び第２短辺側枠部材１２２が高低差を有するように第１長辺側枠部材１２３及び第２長辺側枠部材１２４を傾斜させた太陽電池モジュールアレイ２２０の一例を示す平面図である。
【００８７】
また、図１５は、複数の太陽電池モジュール１００〜１００を水平方向Ｈで千鳥状にして第１長辺側枠部材１２３及び第２長辺側枠部材１２４が高低差を有するように第１短辺側枠部材１２１及び第２短辺側枠部材１２２を傾斜させた太陽電池モジュールアレイ３１０の一例を示す平面図である。図１６は、複数の太陽電池モジュール１００〜１００を水平方向Ｈで千鳥状にして第１短辺側枠部材１２１及び第２短辺側枠部材１２２が高低差を有するように第１長辺側枠部材１２３及び第２長辺側枠部材１２４を傾斜させた太陽電池モジュールアレイ３２０の一例を示す平面図である。
【００８８】
太陽電池モジュール１００は、例えば、水平方向Ｈ及び／又は傾斜方向Ｖに沿って架台４００（図３及び図４参照）に複数並設されて太陽電池モジュールアレイ２１０（図１３参照），２２０（図１４参照），３１０（図１５参照），３２０（図１６参照）を構成する。
【００８９】
太陽電池モジュールアレイ２１０，２２０，３１０，３２０における各太陽電池モジュール１００〜１００において、相対する２つの枠部材１２０，１２０（図１３及び図１５に示す例では第１長辺側枠部材１２３及び第２長辺側枠部材１２４、図１４及び図１６に示す例では第１短辺側枠部材１２１及び第２短辺側枠部材１２２）が高低差を有しかつ水平又は略水平とされる。残り２つの枠部材１２０，１２０（図１３及び図１５に示す例では第１短辺側枠部材１２１及び第２短辺側枠部材１２２、図１４及び図１６に示す例では第１長辺側枠部材１２３及び第２長辺側枠部材１２４）が傾斜される。
【００９０】
そして、切欠溝３０は、高低差を有する隣り合う太陽電池モジュール１００，１００間の隣り合う２つの辺の枠部材１２０，１２０（図１３及び図１５に示す例では隣り合う第１長辺側枠部材１２３及び第２長辺側枠部材１２４、図１４及び図１６に示す例では隣り合う第１短辺側枠部材１２１及び第２短辺側枠部材１２２）において水平方向（枠部材１２０の長手方向）で揃うように設けることができる。また、高低差を有する隣り合う太陽電池モジュール１００，１００間で隣り合う切欠溝３０，３０の幅を同じ幅にすることができる。
【００９１】
（マトリクス状の太陽電池モジュールアレイ）
図１３及び図１４に示すマトリクス状の太陽電池モジュールアレイ２１０，２２０は、架台４００に対して、太陽電池モジュール１００をｍ段（ｍは２以上の整数）、ｎ列（ｎは２以上の整数）に隣り合う第１短辺側枠部材１２１及び第２短辺側枠部材１２２同士及び隣り合う第１長辺側枠部材１２３及び第２長辺側枠部材１２４同士が揃うように並べてｍ段×ｎ列に設けた太陽電池モジュールアレイである。太陽電池モジュールアレイ２１０，２２０は、この例では、長方形状とされている。
【００９２】
図１３に示す太陽電池モジュールアレイ２１０は、各太陽電池モジュール１００〜１００において、第１長辺側枠部材１２３及び第２長辺側枠部材１２４で高低差がつけられ、かつ、第１長辺側枠部材１２３及び第２長辺側枠部材１２４が水平又は略水平に設けられ、第１短辺側枠部材１２１及び第２短辺側枠部材１２２が傾斜している。そして、高低差を有する隣り合う太陽電池モジュール１００，１００の隣り合う第１長辺側枠部材１２３及び第２長辺側枠部材１２４間で切欠溝３０，３０が揃っている。
【００９３】
また、図１４に示す太陽電池モジュールアレイ２２０は、各太陽電池モジュール１００〜１００において、第１短辺側枠部材１２１及び第２短辺側枠部材１２２で高低差がつけられ、かつ、第１短辺側枠部材１２１及び第２短辺側枠部材１２２が水平又は略水平に設けられ、第１長辺側枠部材１２３及び第２長辺側枠部材１２４が傾斜している。そして、高低差を有する隣り合う太陽電池モジュール１００，１００の隣り合う第１短辺側枠部材１２１及び第２短辺側枠部材１２２間で切欠溝３０，３０が揃っている。
【００９４】
こうすることで、マトリクス状の太陽電池モジュールアレイ２１０，２２０において、各太陽電池モジュール１００〜１００上の水を隣り合う太陽電池モジュール１００，１００間の切欠溝３０，３０を介してスムーズに下方に流すことができる。
【００９５】
（千鳥状の太陽電池モジュールアレイ）
図１５及び図１６に示す千鳥状の太陽電池モジュールアレイ３１０，３２０は、架台４００に対して、太陽電池モジュール１００を水平方向Ｈに予め定めた所定の距離（この例では隣り合う太陽電池モジュール１００，１００間のピッチの半分の距離）だけずらして交互に設けた太陽電池モジュールアレイである。太陽電池モジュールアレイ３１０，３２０は、この例では、略三角形状とされている。
【００９６】
図１５に示す太陽電池モジュールアレイ３１０は、各太陽電池モジュール１００〜１００において、第１長辺側枠部材１２３及び第２長辺側枠部材１２４で高低差がつけられ、かつ、第１長辺側枠部材１２３及び第２長辺側枠部材１２４が水平又は略水平に設けられ、第１短辺側枠部材１２１及び第２短辺側枠部材１２２が傾斜している。そして、高低差を有する隣り合う太陽電池モジュール１００，１００の隣り合う第１長辺側枠部材１２３及び第２長辺側枠部材１２４間で切欠溝３０，３０が揃っている。
【００９７】
また、図１６に示す太陽電池モジュールアレイ３２０は、各太陽電池モジュール１００〜１００において、第１短辺側枠部材１２１及び第２短辺側枠部材１２２で高低差がつけられ、かつ、第１短辺側枠部材１２１及び第２短辺側枠部材１２２が水平又は略水平に設けられ、第１長辺側枠部材１２３及び第２長辺側枠部材１２４が傾斜している。そして、高低差を有する隣り合う太陽電池モジュール１００，１００の隣り合う第１短辺側枠部材１２１及び第２短辺側枠部材１２２間で切欠溝３０，３０が揃っている。
【００９８】
こうすることで、千鳥状の太陽電池モジュールアレイ３１０，３２０において、各太陽電池モジュール１００〜１００上の水を隣り合う太陽電池モジュール１００，１００間の切欠溝３０，３０を介してスムーズに下方に流すことができる。
【００９９】
なお、図１３から図１６に示す構成において、枠部材１２０を共通部品にする観点から、枠部材１２０において、切欠溝３０を水平方向（枠部材１２０の長手方向）で中央位置を基準にした線対称（左右対称）に設けることができる。
【０１００】
例えば、図１３及び図１５に示す例では、第１長辺側枠部材１２３及び第２長辺側枠部材１２４を共通部品にする観点から、第１長辺側枠部材１２３及び第２長辺側枠部材１２４において、切欠溝３０（この例では両端部に２つの切欠溝３０，３０）を水平方向（枠部材１２０の長手方向）において互いに同じ位置でかつ互いに同じ幅となるように中央位置を基準にした線対称に設けることができる。さらに、図１５に示す例では、隣り合う太陽電池モジュール１００，１００の隣り合う第１長辺側枠部材１２３及び第２長辺側枠部材１２４の重複（オーバーラップ）する部分の中央部に切欠溝３０を設けることができる。或いは／さらに、図１４及び図１６に示す例では、第１短辺側枠部材１２１及び第２短辺側枠部材１２２を共通部品にする観点から、第１短辺側枠部材１２１及び第２短辺側枠部材１２２において、切欠溝３０（この例では両端部に２つの切欠溝３０，３０）を水平方向（枠部材１２０の長手方向）において互いに同じ位置でかつ互いに同じ幅となるように中央位置を基準にした線対称に設けることができる。さらに、図１６に示す例では、隣り合う太陽電池モジュール１００，１００の隣り合う第１短辺側枠部材１２１及び第２短辺側枠部材１２２の重複（オーバーラップ）する部分の中央部に切欠溝３０を設けることができる。
【０１０１】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１０２】
１１      第１枠部
１１ａ    第１保持片
１１ａ１  先端
１１ｂ    第２保持片
１１ｃ    第３保持片
１２      第２枠部
１２ａ    一方の縦枠部
１２ｂ    他方の縦枠部
１２ｃ    横枠部
１３      第１枠部
１３ａ    第１保持片
１３ａ１  先端
１３ｂ    第２保持片
１３ｃ    第３保持片
１４      第２枠部
１４ａ    一方の縦枠部
１４ａ１  雌ネジ孔部
１４ｂ    他方の縦枠部
１４ｃ    横枠部
２０      接着層
３０      切欠溝
３０ａ    底面
３０ｂ    壁面
３０ｃ    壁面
３０ｄ    突起
３１      傾斜部
３２      平行部
４０      被覆部材
５０      物
１００    太陽電池モジュール
１１０    太陽電池パネル
１１０ａ  受光面
１１０ｂ  裏面
１１０ｃ  第１側面
１１０ｄ  第２側面
１１０ｅ  第３側面
１１０ｆ  第４側面
１１０ｇ  受光角部
１２０    枠部材
１２０ａ  外側面
１２１    第１短辺側枠部材
１２１ａ  外側面
１２２    第２短辺側枠部材
１２２ａ  外側面
１２３    第１長辺側枠部材
１２３ａ  外側面
１２４    第２長辺側枠部材
１２４ａ  外側面
２１０    太陽電池モジュールアレイ
２２０    太陽電池モジュールアレイ
３１０    太陽電池モジュールアレイ
３２０    太陽電池モジュールアレイ
４００    架台
Ｈ        水平方向
ＨＬ      貫通孔
Ｎ        第１方向
Ｓ        高さ方向
ＳＣ      固定部材
Ｔ        第２方向
Ｖ        傾斜方向
Ｗ        幅方向
α１      傾斜面
α２      曲面
【図１】
0006453074.tif 000002
【図２】
0006453074.tif 000003
【図３】
0006453074.tif 000004
【図４】
0006453074.tif 000005
【図５】
0006453074.tif 000006
【図６】
0006453074.tif 000007
【図７】
0006453074.tif 000008
【図８】
0006453074.tif 000009
【図９】
0006453074.tif 000010
【図１０】
0006453074.tif 000011
【図１１】
0006453074.tif 000012
【図１２】
0006453074.tif 000013
【図１３】
0006453074.tif 000014
【図１４】
0006453074.tif 000015
【図１５】
0006453074.tif 000016
【図１６】
0006453074.tif 000017
【図１７】
0006453074.tif 000018
【図１８】
0006453074.tif 000019